(57)【要約】【課題】  給電端子に対する信号接触子の接触が防止される配線ダクトシステムを提供する。【解決手段】  配線ダクト２の接続凹部２１０に挿入されるプラグ３は、給電端子２２に接触導通する受電接触子３２と、信号端子２３に接触導通する信号接触子３３とを有する。また、配線ダクト２は接続凹部２１０の開口端において内向きに突設された内鍔２１１を有し、プラグ３は内鍔２１１よりも接続凹部２１０の深さ方向の奥側に導入される鍔部３４を有する。接続凹部２１０の深さ方向に関して信号接触子３３の位置が給電端子２２の位置に一致した状態では、鍔部３４が内鍔２１１に干渉することで、配線ダクト２に対するプラグ３の変位であって信号接触子３３を給電端子２２に接触させるような変位が防止される。【選択図】図１
2014023240.tif 000002
【特許請求の範囲】
【請求項１】
配線ダクトと前記配線ダクトに接続されるプラグとを備える配線ダクトシステムであって、
前記配線ダクトは、溝状であって前記プラグが挿入される接続凹部と前記接続凹部の幅方向に対向する内面からそれぞれ前記接続凹部の内側へ突設された内鍔とを有するダクト本体と、前記内鍔よりも前記接続凹部の深さ方向の奥側において前記ダクト本体に固定され電力を伝送する給電端子と、前記給電端子よりも前記接続凹部の深さ方向の奥側において前記ダクト本体に固定され前記電力よりも電圧値の低い信号を伝送する信号端子とを備え、
前記プラグは、前記給電端子に接触導通する受電接触子と、前記信号端子に接触導通する信号接触子と、前記内鍔よりも前記接続凹部の深さ方向の奥側に導入される鍔部とを有し、
前記接続凹部の深さ方向に関して前記信号接触子の位置が前記給電端子の位置に一致した状態では、前記配線ダクトに対する前記プラグの変位であって前記信号接触子を前記給電端子に接触させる変位は、前記鍔部が前記内鍔に当接することで阻止されることを特徴とする配線ダクトシステム。
【請求項２】
前記鍔部は、前記受電接触子が前記給電端子に接触導通し且つ前記信号接触子が前記信号端子に接触導通する状態で、前記接続凹部の深さ方向の奥側から前記内鍔に当接することを特徴とする請求項１記載の配線ダクトシステム。
【請求項３】
配線ダクトと前記配線ダクトに接続されるプラグとを備える配線ダクトシステムであって、
前記配線ダクトは、溝状であって前記プラグが挿入される接続凹部を有するダクト本体と、前記接続凹部内において前記ダクト本体に固定され電力を伝送する給電端子と、前記給電端子よりも前記接続凹部の深さ方向の奥側であって前記給電端子よりも前記接続凹部の幅方向の内側において前記ダクト本体に固定され前記電力よりも電圧値の低い信号を伝送する信号端子とを備え、
前記プラグは、前記給電端子に接触導通する受電接触子と、前記信号端子に接触導通する信号接触子とを備え、
前記信号接触子は、前記接続凹部の幅方向に向けられる方向での寸法が、前記給電端子に接触することがない寸法とされていることを特徴とする配線ダクトシステム。
【発明の詳細な説明】
【技術分野】
【０００１】
本発明は、配線ダクトシステムに関するものである。
【背景技術】
【０００２】
従来から、溝状の接続凹部を有する配線ダクトと接続凹部に挿入接続されるプラグとを備える配線ダクトシステムが提供されている。接続凹部内には電力が伝送される給電端子が配置され、プラグには給電端子に接触導通する受電接触子が設けられる。上記のプラグは、例えば、給電端子と受電接触子とを介して入力された電力により光源を点灯させる照明器具に設けられる。
【０００３】
さらに、遠隔制御用の信号が伝送される信号端子が配線ダクトに設けられるとともに、プラグには上記の信号端子に接触導通する信号接触子が設けられた配線ダクトシステムもある（例えば、特許文献１参照）。例えば、プラグが照明器具に設けられる場合、上記の信号に従って行われる制御としては、点灯・消灯の切替や、光出力の変更などが考えられる。
【先行技術文献】
【特許文献】
【０００４】
【特許文献１】特開２０１０−２００４９９号公報
【発明の概要】
【発明が解決しようとする課題】
【０００５】
上記の配線ダクトシステムにおいては、信号接触子を有さず受電接触子のみを有するプラグが接続された場合に受電接触子が信号端子に接触してしまうことがないように、信号端子が給電端子よりも接続凹部の深さ方向の奥側に配置されていた。
【０００６】
しかしながら、上記の場合、信号接触子を有するプラグが接続凹部に対して正しい接続位置よりも浅く挿入された場合に、信号接触子が給電端子に接触してしまう可能性がある。上記のプラグを有する照明器具等の機器において、信号を入力されるべき電子回路は一般に耐圧が低いので、給電端子の電圧が信号接触子に入力されてしまった場合には上記の電子回路が破損するおそれがある。
【０００７】
本発明は、上記事由に鑑みて為されたものであり、その目的は、給電端子に対する信号接触子の接触が防止される配線ダクトシステムを提供することにある。
【課題を解決するための手段】
【０００８】
本発明の配線ダクトシステムは、配線ダクトと前記配線ダクトに接続されるプラグとを備える配線ダクトシステムであって、前記配線ダクトは、溝状であって前記プラグが挿入される接続凹部と前記接続凹部の幅方向に対向する内面からそれぞれ前記接続凹部の内側へ突設された内鍔とを有するダクト本体と、前記内鍔よりも前記接続凹部の深さ方向の奥側において前記ダクト本体に固定され電力を伝送する給電端子と、前記給電端子よりも前記接続凹部の深さ方向の奥側において前記ダクト本体に固定され前記電力よりも電圧値の低い信号を伝送する信号端子とを備え、前記プラグは、前記給電端子に接触導通する受電接触子と、前記信号端子に接触導通する信号接触子と、前記内鍔よりも前記接続凹部の深さ方向の奥側に導入される鍔部とを有し、前記接続凹部の深さ方向に関して前記信号接触子の位置が前記給電端子の位置に一致した状態では、前記配線ダクトに対する前記プラグの変位であって前記信号接触子を前記給電端子に接触させる変位は、前記鍔部が前記内鍔に当接することで阻止されることを特徴とする。
【０００９】
この配線ダクトシステムにおいて、前記鍔部は、前記受電接触子が前記給電端子に接触導通し且つ前記信号接触子が前記信号端子に接触導通する状態で、前記接続凹部の深さ方向の奥側から前記内鍔に当接することが望ましい。
【００１０】
本発明の別の配線ダクトシステムは、配線ダクトと前記配線ダクトに接続されるプラグとを備える配線ダクトシステムであって、前記配線ダクトは、溝状であって前記プラグが挿入される接続凹部を有するダクト本体と、前記接続凹部内において前記ダクト本体に固定され電力を伝送する給電端子と、前記給電端子よりも前記接続凹部の深さ方向の奥側であって前記給電端子よりも前記接続凹部の幅方向の内側において前記ダクト本体に固定され前記電力よりも電圧値の低い信号を伝送する信号端子とを備え、前記プラグは、前記給電端子に接触導通する受電接触子と、前記信号端子に接触導通する信号接触子とを備え、前記信号接触子は、前記接続凹部の幅方向に向けられる方向での寸法が、前記給電端子に接触することがない寸法とされていることを特徴とする。
【発明の効果】
【００１１】
本発明によれば、接続凹部の深さ方向に関して信号接触子の位置が給電端子の位置に一致した状態では鍔部が内鍔に干渉し、又は、信号接触子の寸法が給電端子に接触することがない寸法とされているので、給電端子に対する信号接触子の接触が防止される。
【図面の簡単な説明】
【００１２】
【図１】（ａ）（ｂ）はそれぞれ本発明の実施形態１の要部を示す正面図であり、（ａ）はプラグが配線ダクトに正しく接続された状態を示し、（ｂ）はプラグが配線ダクトに対する正しい接続位置よりも下側にある状態を示す。
【図２】同上においてプラグが配線ダクトに接続された状態の全体像を示す斜視図である。
【図３】同上においてプラグが配線ダクトに接続された状態の要部を示す斜視図である。
【図４】同上の比較例においてプラグが配線ダクトに対する正しい接続位置よりも下側にある状態を示す正面図である。
【図５】（ａ）（ｂ）はそれぞれ本発明の実施形態２の要部を示す正面図であり、（ａ）はプラグが配線ダクトに正しく接続された状態を示し、（ｂ）はプラグが配線ダクトに対する正しい接続位置よりも下側にある状態を示す。
【図６】（ａ）（ｂ）はそれぞれ同上の要部を示す斜視図であり、（ａ）はプラグが配線ダクトに正しく接続された状態を示し、（ｂ）はプラグが配線ダクトに対する正しい接続位置よりも下側にある状態を示す。
【発明を実施するための形態】
【００１３】
以下、本発明を実施するための最良の形態について、図面を参照しながら説明する。
【００１４】
（実施形態１）
本実施形態は、図２に示すように、照明器具１に設けられるプラグ３と、プラグ３が接続される配線ダクト２とを備える配線ダクトシステムである。なお、図２では照明器具１を１個のみ示しているが、１個の配線ダクト２に２個以上の照明器具１を接続することも可能である。
【００１５】
まず、配線ダクト２について説明する。配線ダクト２は、図１（ａ）（ｂ）及び図３に示すように、直線状に延長された溝状の接続凹部２１０と、接続凹部２１０の幅方向（図１での左右方向）に対向する内面からそれぞれ接続凹部２１０の内側へ突設された内鍔２１１とを有するダクト本体２１を備える。より具体的には、配線ダクト２は、厚さ方向を上下方向に向けて接続凹部２１０の上側の壁を構成する上壁２１２と、それぞれ上壁２１２の左右の一端部ずつから下方へ突設されて厚さ方向を左右方向に向けた２個の側壁２１３とを有する。各内鍔２１１はそれぞれ側壁２１３の下端から左右方向に突設されて厚さ方向を上下方向に向けている。上記のダクト本体２１は、上壁２１２と側壁２１３と内鍔２１１とに跨る断面Ｃ字形状の金属製の部材の表面が合成樹脂で覆われてなる。
【００１６】
以下、上下左右は図１を基準とし、図１の紙面に直交する方向を前後方向と呼ぶ。すなわち、接続凹部２１０はダクト本体２１の下側と前後両側とに開放されており、溝として見た場合の接続凹部２１０の深さ方向は上下方向となり深さ方向の奥側は上側となる。また、内鍔２１１は、接続凹部２１０の左右に対向する内面の下端部から左右方向の内向きに突設されている。
【００１７】
さらに、接続凹部２１０において内鍔２１１の上側（すなわち接続凹部２１０の深さ方向の奥側）で左右に対向する内面には、それぞれ前後方向に延長された凸条である端子保持凸部２１４が突設されている。各端子保持凸部２１４において左右方向の内向きの面にはそれぞれ前後方向に延長された溝状の凹部２１５が上下に並べて２個設けられている。上記の凹部２１５のうち、下側の凹部２１５内には直流電源（図示せず）からプラグ３への給電路となる給電端子２２が固定され、上側の凹部２１５内には照明器具１を制御する信号の伝送に用いられる信号端子２３が固定されている。信号端子２２に伝送される信号がとり得る電圧値の最大値は、給電端子２３に伝送される電力の電圧値よりも低いものとされる。給電端子２２と信号端子２３とは、それぞれ例えば、細長い金属板からなり、インサート成型によってダクト本体２１に保持されている。
【００１８】
次に、照明器具１について説明する。配線ダクト２に対する照明器具１の電気的な接続と機械的な支持とは、それぞれプラグ３において達成される。また、照明器具１は、電気的な光源を保持した灯体４と、プラグ３に対して灯体４を支持する支持アーム５とを有する。上記の光源としては、例えば発光ダイオードや有機ＥＬといった周知の光源を用いることができる。さらに、灯体４には、信号端子２３とプラグ３とを介して入力された信号に従って光源の点灯・消灯の切替や光出力の変更といった制御を行う光源制御回路が収納されている。具体的には例えば信号は電圧値がＨレベルとＬレベルとのいずれかである電圧信号（いわゆるＰＷＭ信号）であって、光源制御回路は例えば信号におけるオンデューティ（つまりＨレベルが占める割合）が高いほど光源の光出力を高くする。光源制御回路において光源の光出力を変更する手段としては、人間の目に点滅として認識されない程度に十分に高い周波数での間欠点灯におけるオンデューティの変更や、光源に入力する電流の電流値の変更など、光源の種別に応じた適宜の手段を採用することができる。上記いずれの場合であっても光源制御回路は周知技術で実現可能であるので、詳細な図示並びに説明は省略する。また、上記の光源制御回路とプラグ３とを電気的に接続する電線等の電路（図示せず）は、支持アーム５内に設けてもよいし、支持アーム５の外側に設けてもよい。
【００１９】
プラグ３は、合成樹脂からなる接触子保持部３１と、それぞれ導電材料からなり接触子保持部３１に保持された受電接触子３２及び信号接触子３３とを有する。受電接触子３２は給電端子２２に一対一に対応して２個設けられ、接触子保持部３１から左右方向の一方ずつに突出している。また、信号接触子３３は信号端子２３に一対一に対応して２個設けられ、受電接触子３２よりも上側において接触子保持部３１から左右方向の一方ずつに突出している。各受電接触子３２と各信号接触子３３とは、それぞれ、接触子保持部３１からの突出寸法を小さくするように弾性変形可能となっており、この弾性変形により接触圧が確保される。また、プラグ３は、受電接触子３２よりも下側において接触子保持部３１から左右方向に突出する鍔部３４を、接触子保持部３１の左右両側にそれぞれ有する。鍔部３４は合成樹脂からなり接触子保持部３１と連続一体に形成されている。
【００２０】
図１（ａ）に示すように配線ダクト２に対するプラグ３の接続が完了した状態（以下、「接続状態」と呼ぶ。）では、各信号接触子３３はそれぞれ１個ずつの信号端子２３に接触導通し、各受電接触子３２はそれぞれ１個ずつの給電端子２２に接触導通する。また、接続状態では、各鍔部３４がそれぞれ一方ずつの内鍔２１１に対し上側（すなわち接続凹部２１０の深さ方向の奥側）から当接することで、配線ダクト２に対するプラグ３の下方への変位が禁止される。さらに、プラグ３は、上記の接続状態で内鍔２１１の下面に当接する連結部３５を有し、連結部３５の下端部においてアーム５に連結されている。
【００２１】
ここで、給電端子２２に伝送される電力や信号端子２３に伝送される信号はそれぞれ直流であるので、給電端子２２や信号端子２３には極性が存在する。そこで、左右逆に接続されること（逆接続）がないように、配線ダクト２とプラグ３とはそれぞれ左右非対称な形状とされている。具体的には、配線ダクト２の右下端部には逆接続防止凸部２１６が下方に突設されている。また、連結部３５は逆接続防止凸部２１６以外の部位において配線ダクト２の下面にほぼ密着する形状とされており、接続の向きが正しいときに逆接続防止凸部２１６を避ける逆接続防止凹部３５１を右上端部に有する。すなわち、逆接続の場合には逆接続防止凸部２１６が連結部３５の上端部に干渉することで、接続凹部２１０内への鍔部３４等の導入が阻止される。
【００２２】
また、逆接続防止凹部３５１は、プラグ３が接続状態に対し下方から見て反時計回りに９０°回転した状態（以下、「半接続状態」と呼ぶ。）であっても逆接続防止凸部２１６を係入させることが可能な円弧形状とされている。さらに、各鍔部３４は、それぞれ、接続状態においては接触子保持部３１からの突出方向を接続凹部２１０の幅方向に向ける。また、プラグ３は、上端が連結部３５の上面よりも上側に突出するロック位置と、上端が連結部３５の上面から突出しないアンロック位置との間で、連結部３５に対して上下に変位可能な回転止め部３６を備える。また、連結部３５と回転止め部３６との間には、回転止め部３６をロック位置に復帰させる復帰ばね（図示せず）が介装されている。
【００２３】
プラグ３を配線ダクト２に接続する際には、復帰ばねのばね力に抗して回転止め部３６をアンロック位置に維持しつつ、接触子保持部３１からの鍔部３４の突出方向を接続凹部２１０の長さ方向に向けて鍔部３４を接続凹部２１０内に導入し、半接続状態とする。その後に、プラグ３を配線ダクト２に対し下方から見て時計回りに回転させれば、プラグ３を接続状態に移行させることができる。プラグ３が接続状態に移行した際には、回転止め部３６が復帰ばねのばね力でロック位置に復帰して内鍔２１１間に挟まることで、配線ダクト２に対するプラグ３の回転であって上下方向に平行な軸周りでの回転が禁止される。
【００２４】
ところで、内鍔２１１が受電接触子３２と鍔部３４との間に導入された場合（つまり、鍔部３４が内鍔２１１の下側とされた場合）、プラグ３の位置が配線ダクト２に対する正しい接続位置よりも下側であるにも関わらず信号接触子３３を内鍔２１１の上側に導入できてしまう可能性がある。この場合に、図４に示すように信号接触子３３が給電端子２２に接触してしまうと、耐圧を超えた電圧を入力されることで照明器具１の光源制御回路が破損してしまう可能性がある。
【００２５】
これに対し、本実施形態においては、鍔部３４が内鍔２１１よりも下側にある場合には、信号接触子３３の上端が給電端子２２の露出範囲の下端よりも下方に位置して給電端子２２に接触することがないように、各部の寸法が設計されている。
【００２６】
言い換えると、配線ダクト２に対するプラグ３の上下位置（すなわち接続凹部２１０の深さ方向での位置）が、信号接触子３３と給電端子２２との相互の接触が発生する可能性のある範囲内にあるとき（すなわち、信号接触子３３が給電端子２２の露出範囲の上下位置の範囲内にあるとき）には、鍔部３４も内鍔２１１の上下位置の範囲内にあるように、各部の寸法が設計されている。
【００２７】
上記構成によれば、図１（ｂ）に示すように、配線ダクト２に対するプラグ３の上下位置が信号接触子３３と給電端子２２との相互の接触が発生する可能性のある範囲内にあるときには、プラグ３の鍔部３４が配線ダクト２の内鍔２１１に干渉することで、配線ダクト２に対するプラグ３の変位であって信号接触子３３を給電端子２２に接触させるような変位（回転や平行移動）が禁止される。
【００２８】
（実施形態２）
本実施形態の基本構成は実施形態１と共通であるので、共通する部分についての説明は省略する。
【００２９】
本実施形態では、図５（ａ）及び図６（ａ）に示すように、給電端子２２は、信号端子２３よりも左右方向（すなわち接続凹部２１０の幅方向）の外側に固定されている。従って、受電接触子３２と給電接触子２２との接触は、信号接触子３３が信号端子２３に接触する位置よりも左右方向の外側において達成される。
【００３０】
また、図５（ｂ）及び図６（ｂ）に示すように、内鍔２１１が受電接触子３２と鍔部３４との間に導入された誤接続の際に信号接触子３３が給電端子２２に接触しないように、弾性復帰した状態での信号接触子３３の接触子保持部３１から左右方向への突出寸法は、給電端子２２間の間隔に対して十分に小さくされている。
【００３１】
例えば、図５（ｂ）のように信号接触子３３と給電端子２２との上下位置が合わされた状態でプラグ３が配線ダクト２に対して左右に変位できない場合、弾性復帰した２個の信号接触子３３の先端間の距離が給電端子２２間の距離よりも小さければよい。
【００３２】
本実施形態においても、給電端子２２に対する信号接触子３３の接触が防止される。
【符号の説明】
【００３３】
２  配線ダクト
３  プラグ
２１  ダクト本体
２２  給電端子
２３  信号端子
３２  受電接触子
３３  信号接触子
３４  鍔部
２１０  接続凹部
２１１  内鍔
【図１】
2014023240.tif 000003
【図２】
2014023240.tif 000004
【図３】
2014023240.tif 000005
【図４】
2014023240.tif 000006
【図５】
2014023240.tif 000007
【図６】
2014023240.tif 000008